(57)【要約】【課題】データのファイル操作について利便性の高い撮影装置を提供する。【解決手段】所定の信号処理実行データに従って被写体像を表す画像データを生成する撮影装置において、所定の画像を表す画像データと対応付けられることで、該画像データに対するファイル操作と同一のファイル操作を受ける、信号処理実行データ更新用のアップデートデータを、該アップデートデータが対応付けられている画像データとともに取得する取得部と、取得部に取得された画像データによって表される画像の読み出し指示を受けて、該画像を表示し、さらに、信号処理実行データの更新実行指示を受付ける実行指示受付画面を表示する画像表示部と、画像表示部に表示された実行指示受付画面に対して、信号処理実行データの更新実行指示が与えられると、それまでの信号処理実行データを、取得部に取得されたアップデートデータに更新する更新部とを備えた。【選択図】        図６
2008236352.tif 000002
【特許請求の範囲】
【請求項１】
撮影レンズを経由して入力してきた被写体像を撮像素子で捉え、所定の信号処理実行データに従って該被写体像を表す画像データを生成する撮影装置において、
所定の画像を表す画像データと対応付けられることで、該画像データに対するファイル操作と同一のファイル操作を受ける、前記信号処理実行データ更新用のアップデートデータを、該アップデートデータが対応付けられている前記画像データとともに取得する取得部と、
前記取得部に取得された前記画像データによって表される画像の読み出し指示を受けて、該画像を表示し、さらに、前記信号処理実行データの更新実行指示を受付ける実行指示受付画面を表示する画像表示部と、
前記画像表示部に表示された実行指示受付画面に対して、信号処理実行データの更新実行指示が与えられると、それまでの信号処理実行データを、前記取得部に取得された前記アップデートデータに更新する更新部とを備えたことを特徴とする撮影装置。
【請求項２】
前記取得部は、前記アップデートデータとして、前記所定の画像を表す画像データに付随し該画像データと合わせて１つの画像ファイルを構成するタグデータ中に書き込まれた前記信号処理実行データ更新用のアップデートデータを取得するものであることを特徴とする請求項１記載の撮影装置。
【請求項３】
前記信号処理実行データ更新用のアップデートデータが外部機器から入力されるアップデートデータ入力部と、
前記アップデートデータ入力部に入力されたアップデートデータを、前記所定の画像を表す画像データに付随し該画像データと合わせて１つの画像ファイルを構成するタグデータ中に書き込んで該画像ファイルを前記取得部に取得させる対応付け設定部を備えたことを特徴とする請求項２記載の撮影装置。
【請求項４】
ゲーム機能を有する撮影装置であって、
前記画像表示部は、進行中のゲームを表示するものであって、
前記対応付け設定部は、ゲームが中断された際の、中断時のゲームの状況を記憶すべき指示を受けて、該中断時のゲームの状況を表すゲーム状況データを、ゲーム中断時の画面に表示されている画像を表す画像データに付随し該画像データと合わせて１つの画像ファイルを構成するタグデータ中に書き込むものであり、
前記対応付け設定部により、前記ゲーム状況データがタグデータ中に書き込まれた画像ファイルを記憶する記憶部を備えたことを特徴とする請求項３記載の撮影装置。
【請求項５】
前記取得部は、前記アップデートデータとして、前記所定の画像を表す画像データの画像ファイルとは別個のファイルであって、該画像ファイルに対するファイル操作と同一のファイル操作を受けるよう該画像ファイルとの関連づけ処理が施されたファイル中に書き込まれた前記信号処理実行データ更新用のアップデートデータを取得するものであることを特徴とする請求項１記載の撮影装置。
【請求項６】
ファイル中に書き込まれた前記信号処理実行データ更新用のアップデートデータが外部機器から入力されるアップデートデータ入力部と、
前記アップデートデータ入力部に入力されたアップデートデータのファイルに対し、前記所定の画像を表す画像データの画像ファイルに対するファイル操作と同一のファイル操作を前記アップデートデータのファイルが受けるように前記画像ファイルとの関連づけ処理を施して、該アップデートデータのファイルを前記取得部に取得させる対応付け設定部を備えたことを特徴とする請求項５記載の撮影装置。
【請求項７】
ゲーム機能を有する撮影装置であって、
前記画像表示部は、進行中のゲームを表示するものであって、
前記対応付け設定部は、ゲームが中断された際の、中断時のゲームの状況を記憶すべき指示を受けて、該中断時のゲームの状況を表し、ファイル中に書き込まれたゲーム状況データに対し、ゲーム中断時の画面に表示されている画像を表す画像データの画像ファイルに対するファイル操作と同一のファイル操作を受けるように該画像ファイルとの関連づけ処理を施すものであり、
前記対応付け設定部により前記画像ファイルとの関連づけ処理が施されたファイルと、該画像ファイルとを記憶する記憶部を備えたことを特徴とする請求項６記載の撮影装置。
【発明の詳細な説明】
【技術分野】
【０００１】
本発明は、撮影レンズを経由して入力してきた被写体像を撮像素子で捉え、所定の信号処理実行データに従って該被写体像を表す画像データを生成する撮影装置に関する。
【背景技術】
【０００２】
デジタルカメラを中心とする、多くの撮影装置においては、撮像素子によって生成された画像信号に対し、ノイズ除去処理、アナログ／デジタル変換、ホワイトバランスの補正やγ補正などの補正処理といった様々なデータ処理の過程を経た上で、表示用の画像データや撮影画像を表す画像データが生成される。こうしたデータ処理の技術は年々進んでおり、撮影装置の分野においても、画質の高い画像データを生成するために、より新しい版（バージョン）の処理方式を採用してデータ処理を実行することが撮影装置に求められるようになってきている。
【０００３】
多くの撮影装置では、撮影装置内にあらかじめ記憶されているプログラム（実行データ）に従ってデータ処理が実行されており、バージョンの新しい処理方式を採用するためには、この実行データのアップデートが必要となる。最近では、アップデート用のデータを蓄えたカメラ本体と、そのカメラ本体に装着されるカメラヘッドとからなるカメラシステムであって、バージョンの古い実行データを採用したカメラヘッドがカメラ本体に装着されると、カメラヘッドの実行データを新しいバージョンの実行データに自動的にアップデートする機能を備えたカメラシステムが提案されている（例えば、特許文献１参照）。
【特許文献１】特開２００６−１２１４１８号公報
【発明の開示】
【発明が解決しようとする課題】
【０００４】
アップデート用のデータは、多くの場合、メモリーカードなどの撮影装置用の記録媒体
に蓄えられ、この記録媒体から撮影装置に読み込まれてアップデートが実行される。ここで、一旦アップデートが実行されてしまうと、多くの場合、アップデート用のデータは不必要となる。特許文献１記載の撮影装置をはじめ、従来の撮影装置では、画像データに対しては、画像データを１個の画像ファイルとして扱って移動、削除、閲覧といった種々のファイル操作を実行できるものの、アップデート用のデータのファイルのように、本来画像と無関係なファイルに対しては、こうしたファイル操作ができず、記録媒体からアップデート用のデータのファイルを削除するには、記録媒体ごと初期化するか、あるいはコンピュータ等の外部機器と撮影装置を接続してその外部機器の操作によって削除することが必要となる。このため、従来の撮影装置では、データのファイル操作に関して利便性に欠ける面が否定できない。
【０００５】
本発明は、上記事情に鑑み、データのファイル操作について利便性の高い撮影装置を提供することを目的とする。
【課題を解決するための手段】
【０００６】
上記目的を達成するための本発明の撮影装置は、
撮影レンズを経由して入力してきた被写体像を撮像素子で捉え、所定の信号処理実行データに従って該被写体像を表す画像データを生成する撮影装置において、
所定の画像を表す画像データと対応付けられることで、該画像データに対するファイル操作と同一のファイル操作を受ける、上記信号処理実行データ更新用のアップデートデータを、該アップデートデータが対応付けられている上記画像データとともに取得する取得部と、
上記取得部に取得された上記画像データによって表される画像の読み出し指示を受けて、該画像を表示し、さらに、上記信号処理実行データの更新実行指示を受付ける実行指示受付画面を表示する画像表示部と、
上記画像表示部に表示された実行指示受付画面に対して、信号処理実行データの更新実行指示が与えられると、それまでの信号処理実行データを、上記取得部に取得された上記アップデートデータに更新する更新部とを備えたことを特徴とする。
【０００７】
本発明の撮影装置では、画像データと対応付いているアップデートデータにより、その画像データで表された画像の表示画面を介して信号処理実行データの更新が実行される。このように、アップデートデータは画像データと対応付いているので、ユーザは、アップデータ後には、画像データのファイルを削除することで、簡単にアップデートデータも削除することができる。このように、本発明の撮影装置は、データのファイル操作の点で利便性が高い。また、本発明の撮影装置では、ユーザは表示画面を見ながら信号処理実行データの更新が実行できるので、ユーザは、従来の撮影装置で信号処理実行データの更新を行う時に比べ、更新に関する情報を多く得ることができる。
【０００８】
また、本発明の撮影装置において、「上記取得部は、上記アップデートデータとして、上記所定の画像を表す画像データに付随し該画像データと合わせて１つの画像ファイルを構成するタグデータ中に書き込まれた上記信号処理実行データ更新用のアップデートデータを取得するものである」という形態は、好ましい形態である。
【０００９】
このような形態によれば、アップデートデータは、タグデータとして上記の画像データの画像ファイルに埋め込まれることで、画像データに対するファイル操作と同一のファイル操作を受けられるようになる。
【００１０】
また、タグデータ中に書き込まれたアップデートデータを取得する本発明の撮影装置において、「上記信号処理実行データ更新用のアップデートデータが外部機器から入力されるアップデートデータ入力部と、上記アップデートデータ入力部に入力されたアップデートデータを、上記所定の画像を表す画像データに付随し該画像データと合わせて１つの画像ファイルを構成するタグデータ中に書き込んで該画像ファイルを上記取得部に取得させる対応付け設定部を備えた」という形態は、さらに好ましい形態である。
【００１１】
このような形態によれば、アップデートデータが外部機器から本発明の撮影装置に入力されると、アップデートデータは、上記の画像データの画像ファイルに自動的に組み込まれることとなり、画像データに対するファイル操作と同一のファイル操作を受けられるようになる。
【００１２】
また、タグデータ中にアップデートデータを書き込む対応付け設定部を備えた本発明の撮影装置において、「ゲーム機能を有する撮影装置であって、上記画像表示部は、進行中のゲームを表示するものであって、上記対応付け設定部は、ゲームが中断された際の、中断時のゲームの状況を記憶すべき指示を受けて、該中断時のゲームの状況を表すゲーム状況データを、ゲーム中断時の画面に表示されている画像を表す画像データに付随し該画像データと合わせて１つの画像ファイルを構成するタグデータ中に書き込むものであり、上記対応付け設定部により、上記ゲーム状況データがタグデータ中に書き込まれた画像ファイルを記憶する記憶部を備えた」という形態は、とりわけ好ましい形態である。
【００１３】
ゲームが中断された際の、中断時のゲームの状況を表すゲーム状況データのファイルも、上述したアップデートデータのファイルと同様に画像ファイルではないので、従来の撮影装置ではファイル操作を行うことができない。本発明の撮影装置は、ゲーム状況データを、ゲーム中断時の画面に表示されている画像を表した画像データの画像ファイルに組み込むことができ、ユーザは、ゲーム状況データに対して、この画像データに対するファイル操作と同一のファイル操作を行うことができる。
【００１４】
また、本発明の撮影装置において、「上記取得部は、上記アップデートデータとして、上記所定の画像を表す画像データの画像ファイルとは別個のファイルであって、該画像ファイルに対するファイル操作と同一のファイル操作を受けるよう該画像ファイルとの関連づけ処理が施されたファイル中に書き込まれた上記信号処理実行データ更新用のアップデートデータを取得するものである」という形態は、好ましい形態である。
【００１５】
このような形態によれば、アップデートデータは、該画像ファイルとの関連づけ処理が施されたファイル中にアップデートデータが書き込まれることで、画像データに対するファイル操作と同一のファイル操作を受けられるようになる。
【００１６】
また、関連づけ処理が施されたファイル内に書き込まれたアップデートデータを取得する本発明の撮影装置において、「ファイル中に書き込まれた上記信号処理実行データ更新用のアップデートデータが外部機器から入力されるアップデートデータ入力部と、上記アップデートデータ入力部に入力されたアップデートデータのファイルに対し、上記所定の画像を表す画像データの画像ファイルに対するファイル操作と同一のファイル操作を上記アップデートデータのファイルが受けるように上記画像ファイルとの関連づけ処理を施して、該アップデートデータのファイルを上記取得部に取得させる対応付け設定部を備えた」という形態は、さらに好ましい形態である。
【００１７】
このような形態によれば、アップデートデータが外部機器から本発明の撮影装置に入力されると、アップデートデータは、上記の画像データと自動的に関連づけられることとなり、画像データに対するファイル操作と同一のファイル操作を受けられるようになる。
【００１８】
また、関連づけ処理が施されたファイル中にアップデートデータを書き込む対応付け設定部を備えた本発明の撮影装置において、「ゲーム機能を有する撮影装置であって、上記画像表示部は、進行中のゲームを表示するものであって、上記対応付け設定部は、ゲームが中断された際の、中断時のゲームの状況を記憶すべき指示を受けて、該中断時のゲームの状況を表し、ファイル中に書き込まれたゲーム状況データに対し、ゲーム中断時の画面に表示されている画像を表す画像データの画像ファイルに対するファイル操作と同一のファイル操作を受けるように該画像ファイルとの関連づけ処理を施すものであり、上記対応付け設定部により上記画像ファイルとの関連づけ処理が施されたファイルと、該画像ファイルとを記憶する記憶部を備えた」という形態は、とりわけ好ましい形態である。
【００１９】
このような形態によれば、ユーザは、ゲーム状況データに対して、ゲーム中断時の画面に表示されている画像を表した画像データに対するファイル操作と同一のファイル操作を行うことができる。
【発明の効果】
【００２０】
本発明の撮影装置では、データのファイル操作について利便性が高い。
【発明を実施するための最良の形態】
【００２１】
以下、本発明の実施形態を説明する。
【００２２】
本実施形態の撮影装置は、撮影装置内にあらかじめ蓄えられた実行データに従って各種の処理を行うデジタルカメラである。
【００２３】
図１は、本発明の撮影装置の一実施形態であるデジタルカメラを前面斜め上から見た外観斜視図であり、図２は、このデジタルカメラを背面斜め上から見た外観斜視図である。
【００２４】
図１に示すように、このデジタルカメラ１００の前面中央部には、光学式ファインダ対物窓１０２および閃光発光部１０３が備えられている。さらに、このデジタルカメラ１００の上面には、スライド式の電源スイッチ１０４、静止画撮影を指示するためのレリーズスイッチ１５０が備えられている。さらに図２に示すように、このデジタルカメラ１００の背面には、光学式ファインダ接眼窓１０６、メニューボタン１６０、実行／画面切換スイッチ１７０、画像表示部１３０、十字キー２４、モードダイヤル１０が備えられている。モードダイヤル１０は、図で両矢印で示す方向に回転することができるダイヤルとなっており、ユーザは、このモードダイヤル１０を操作することによって、デジタルカメラ１００の動作モードとして、再生モードを表す「再生」、動作設定モードを表す「設定」、撮影モードを表す「撮影」、パーソナルコンピュータ（ＰＣ）と接続してデータのやり取りを行うＰＣモードを表す「ＰＣ」、このデジタルカメラ１００に備えられているゲーム機能を起動させる際のゲームモードを表す「ゲーム」の５つの動作モードの中から、所望の動作モードを選択することができる。この図では、「再生」が選択された状態が示されている。また、このデジタルカメラ１００の側面には、パーソナルコンピュータ（ＰＣ）との間でＵＳＢケーブルを介してデータのやり取りが行われる際に、ＵＳＢケーブルのＵＳＢ端子が差し込まれるＵＳＢコネクタ１３１や、画像データをはじめ各種のデータを記憶するメモリカード１４１が挿入されるメモリカードスロット１４２も設けられている。
【００２５】
図３は、図１および図２に外観を示すデジタルカメラの概略構成図である。
【００２６】
このデジタルカメラ１００には、ピント調節のためのフォーカスレンズ１１４や光学ズームを行うためのズームレンズ１１５などといった各種レンズや、光量を調節するための絞り１１３などが配備された撮影光学系１１０が備えられている。本来撮影光学系には複数のレンズが配備され、それらの複数のレンズの中の少なくとも１つがピント調節に大きく関与し、それら複数のレンズの相対位置が焦点距離に関与するが、この図３では、焦点距離の変化に係わるレンズをズームレンズ１１５として模式的に示しており、同じくピントの調節に係わるレンズをフォーカスレンズ１１４として模式的に示している。また、これらフォーカスレンズ１１４、ズームレンズ１１５、絞り１１３をそれぞれ駆動するためのフォーカス制御部１１４ａ、ズーム制御部１１５ａ、絞り制御部１１３ａも備えられている。絞り制御部１１３ａは、絞り１１３を制御して露出の調節を行う。ズーム制御部１１５ａは、ズームレンズ１１５を移動させることで光学ズームの倍率を変化させる役割を担う。フォーカス制御部１１４ａは、このデジタルカメラ１００の有するオートフォーカス機能が作動する際に、フォーカスレンズ１１４を、被写体距離の最遠点に対応する位置から被写体距離の至近点に対応する位置まで移動させることにより、被写界のコントラストを変化させるとともに、その変化の様子から決定されたピント位置にフォーカスレンズ１１４を配置する役割を担う。デジタルカメラ１００には、生成された画像データに基づき露出調節の演算およびピント調節を行うＡＦ／ＡＥ演算部１２６が備えられており、このＡＦ／ＡＥ演算部１２６が、生成された画像データから露出調節のための被写界輝度の検出を行い、さらに、フォーカスレンズ１１４の移動に伴って変化する被写界のコントラストも検出する。
【００２７】
また、このデジタルカメラ１００には、撮影光学系１１０を通って結像された被写体光を受光して、被写体光を表わすアナログの画像信号を生成するＣＣＤ１１１が備えられており、図で一点鎖線で示す被写体光はＣＣＤ１１１において、被写体光を表わすアナログの画像信号に変換されてシャッタ速度を決定するタイミングジェネレータ１１１ａのタイミング信号に合わせてＣＣＤ１１１から出力される。
【００２８】
ＣＣＤ１１１から出力されたアナログの画像信号は、画像信号処理部１２２によって読み出されてデジタルの画像データに変換され、さらに、この画像信号処理部１２２においてホワイトバランスの補正やγ補正などといった種々の画像処理が施される。画像処理が施された画像データは、画像表示の制御を行う表示制御部１２３を介して画像表示部１３０上にこの画像データが表す画像（いわゆるスルー画像）が表示される。
【００２９】
また、このデジタルカメラ１００には、ＲＯＭ１２１が配備されており、このＲＯＭ１２１には、このデジタルカメラ１００の各部の制御を行うＣＰＵ１２０が実行する動作の手順を示した実行データが格納されている。ここで、図３では、図１および図２に示す、電源スイッチ１０４、モードダイヤル１０、レリーズスイッチ１５０などといった各種のスイッチやボタンは操作部１５１として一括して示されており、操作部１５１が操作されると、ＲＯＭ１２１に格納された実行データに従ってその操作に応じた処理が実行される。この実行データには、上述した画像信号処理部１２２が各種の信号処理を実行する際に必要となる信号処理パラメータの情報も記載されており、例えば、ＣＰＵ１２０が、画像信号処理部１２２に対し実行データに記載された信号処理パラメータを設定することによって、その設定された信号処理パラメータの下での信号処理が実現する。この実行データは、後述するように、アップデートが実行されることで新しいバージョンの実行データに更新される。ＣＰＵ１２０と、撮像部１１０、画像信号処理部１２２、表示制御部１２３、画像記録部１４０などの各部との間のデータの受け渡しはバス１２００を介して行なわれ、そのバス１２００を介してデータの受け渡しが行なわれるときのバッファとしてＲＡＭ１２９が備えられている。このＲＡＭ１２９に各部の処理プロセスの進行状況に応じて変数となるデータが随時書き込まれて、前述の撮像部１１０、画像信号処理部１２２などの各部では、そのデータを参照することにより、それぞれ適切な処理が行われる。
【００３０】
また、このデジタルカメラ１００には、メモリーカードスロット１４２に挿入されたメモリーカード１４１に対してデータの書き込み、およびデータの読み出しを行う書込／読出部１４０が備えられている。この書込／読出部１４０は、撮影で得られた撮影画像データや、外部のパーソナルコンピュータからＵＳＢコネクタ１３１を介して入力されたデータをメモリーカード１４１に書き込む役割を担うとともに、再生モードが選択されてメモリーカード１４１に記録された画像データの読み出しが指示された際にメモリーカード１４１から画像データを読み出す役割も担っている。このとき読み出されたデータは、表示制御部１２３を介して画像表示部１３０によって表示される。
【００３１】
ここで、撮影が行われる際のデジタルカメラ１００の動作について説明する。
【００３２】
画像表示部１３０に表示されたスルー画像を確認しながら、ユーザが図１に示すレリーズスイッチ１５０を押下すると、レリーズスイッチ１５０が押されたことがＣＰＵ１２０に伝えられる。ここで、被写体が暗いときには、ＣＰＵ１２０の指示に基づき、レリーズスイッチ１５０の押下に同期して図１の閃光発光部１０３により閃光が発せられる。また、レリーズスイッチ１５０が押されると、ＣＣＤ４０で生成された画像信号は、画像信号処理部１２２において、ＣＰＵ１２０からの指示に基づき、上述したスルー画像のときよりもより細かく読み出されてデジタルの画像データに変換され、高解像度な撮影画像データが生成される。生成された撮影画像データは、さらに、画像信号処理部１２２において、ホワイトバランスの補正やγ補正などといった種々の画像処理が施されて、ＲＧＢ信号の形式で一旦、バッファメモリ１４３に記憶される。バッファメモリ１４３に記憶された撮影画像データは、書込／読出部１４０に供給されて、ＲＧＢ信号からＹＣ信号に変換された後、圧縮処理が施されてメモリカード１４１に記録される。
【００３３】
なお、再生モードが選択されてメモリーカード１４１に記録された画像データの読み出しが指示された際には、メモリカード１４１に記録された画像データは、書込／読出部１４０において伸張処理が施された後、ＹＣ信号からＲＧＢ信号に変換されて、表示制御部１２３を介して画像表示部１３０に表示される。ここで、画像データは、メモリーカード１４１中において画像ファイルの形式でフォルダ内に格納されており、ユーザは、図２に示す十字キー２４を使って、画像ファイルに対し、移動、削除、閲覧といった種々のファイル操作を実行することができる。ただし、こうしたファイル操作を実行できるのは、画像を有するファイル（画像ファイル）に対してだけであり、画像が含まれていない、数値や文字だけからなるデータで構成されたファイルに対しては、そのままの状態では、ファイル操作を実行することができない。こうした画像が含まれていないファイルの典型的な例として、実行データのアップデート用のデータ（以下では単にアップデートデータと呼ぶ）のファイルを挙げることができる。従来の撮影装置では、アップデート後に、不必要となったアップデートデータのファイルを記録媒体から削除するには、記録媒体ごと初期化するか、あるいはコンピュータ等の外部機器と撮影装置を接続してその外部機器の操作によってアップデートデータのファイルを削除することが必要となっていたため、従来の撮影装置には、アップデート後のアップデートデータの処理が面倒という短所がある。一方、このデジタルカメラ１００では、アップデートデータを画像ファイル中に取り込む機能を備えており、このため、ユーザは、その画像ファイルをファイル操作することを通じて、アップデートデータに対しても、削除や移動などといった操作を自由に実行することができる。以下では、アップデートデータが取り込まれた画像ファイルを作成する際のデジタルカメラ１００の動作について説明する。
【００３４】
図４は、図３に概略構成図を示したデジタルカメラが、アップデートデータが埋め込まれた画像ファイルを作成する際の動作を表したフローチャートである。
【００３５】
アップデートデータをデジタルカメラ１００内に取り込むため、まず、ユーザにより、デジタルカメラ１００が、図２および図３に示すＵＳＢコネクタ１３１を介してＵＳＢケーブルでパーソナルコンピュータ（ＰＣ）と接続され、さらに、図１のモードダイヤル１０がＰＣモードに設定されて、パーソナルコンピュータからデジタルカメラ１００のバッファメモリ１４３にアップデートデータのファイルが入力される（ステップＳ１０１）。次に、デジタルカメラ１００では、バッファメモリ１４３に蓄えられたデータがアップデートデータであるか否かが図３のＣＰＵ１２０によって判定される（ステップＳ１０２）。ここでは、入力されたデータはアップデートデータであることを想定しているので、ステップＳ１０２ではＹｅｓが選択されて、以下に説明するステップＳ１０３以降の処理が実行される。なお、仮に、入力されたデータがアップデートデータでないとすると、ステップＳ１０２でＮｏが選択されて、そのデータは、図３の書込／読出部１４０によりそのままメモリーカード１４１に書き込まれる（ステップＳ１０６）。
【００３６】
ステップＳ１０２でＹｅｓが選択されると、続いて、バージョン情報などのアップデートの内容に関する情報（アップデート情報）が、画像として可視化された画像ファイルが作成され、その画像ファイルのタグデータ中にアップデートデータが書き込まれる（ステップＳ１０３）。
【００３７】
図５は、アップデートの内容に関する情報が可視化されている画像ファイルのデータ構成を表す概念図である。
【００３８】
図５に示す画像ファイル９００は、大きく分けて画像データ９０２と、この画像データ９０２に付随するデータであるタグデータ９０１とから構成されている。なお、この図では、説明の明確化のために、画像データやタグデータを図示したものとして概念的に、それぞれのデータの内容そのもの（すなわち、画像やアップデート内容など）が示されている。
【００３９】
画像データ９０２で表される画像は、図５に示すように、デジタルカメラ１００の外観図と、バージョン情報、作成年月日、およびアップデートによる改善点といったアップデート情報とが組み合わせられた画像である。この図では、バージョン情報、作成年月日、およびアップデートによる改善点として、それぞれ、「Ｖｅｒ．１．２４アップデートデータ」、「２００７年３月１日作成」、および「◎ＩＳＯゲインアップ、◎カラーノイズ削減」が示されている。ここで、画像データ９０２で表される画像中の外観図の画像データは、あらかじめデジタルカメラ１００内に蓄えられているデータであり、上記のアップデート情報は、アップデート用の新たな実行データを表した、後述のアップデートデータ本体とともに、アップデートデータのファイル中に元々記載されていたデータである。上述の図４のステップＳ１０３では、アップデートデータのファイル中に記載されているアップデート情報が図３のＣＰＵ１２０によって読み取られて、上述の外観図の画像データに書き込まれる。
【００４０】
一方、タグデータ９０１には、図５に示すように、デジタルカメラ１００に関する各種の情報が順番に記載されており、図では、例として、シャッタスピ−ド１／６０，ホワイトバランスＡＵＴＯ，露出バランス＋１．０，…が示されている。ここで、このタグデータ９０１には、この図に示すように、作成された上述の画像データ９０２に対するサムネイル画像データ９０１ｂや、アップデート用の新たな実行データを表したアップデートデータ本体９０１ａが存在しており、このアップデートデータ本体９０１ａは、上述の図４のステップＳ１０３において、図３のＣＰＵ１２０によってアップデートデータのファイルから読み取られてタグデータ９０１内に書き込まれたデータであり、一方、サムネイル画像データ９０１ｂは、上述の画像データ９０２とともに作成されて、タグデータ９０１内に書き込まれたデータである。
【００４１】
図４に戻って説明を続ける。
【００４２】
アップデートデータが埋め込まれた画像ファイル９００が作成されると、次に、図３のＣＰＵ１２０の指示に基づき、この画像ファイル９００に対し、削除を禁止するプロテクトがかけられる（ステップＳ１０４）。これは、作成された画像ファイル９００が、ユーザの誤ったファイル操作で削除されてしまうのを防ぐために行われるものである。そして、プロテクトがかけられた画像ファイル９００が、書込／読出部１４０によりメモリカード１４１に記録される。
【００４３】
次に、アップデートデータが埋め込まれた画像ファイル９００に基づいてアップデートが実行される際のデジタルカメラ１００の動作について説明する。
【００４４】
図６は、図３に概略構成図を示したデジタルカメラに対してアップデートが実行される際のデジタルカメラの動作を表したフローチャートである。
【００４５】
まず、ユーザにより、図２のモードダイヤル１０が操作されて再生モードが設定され、さらに、ユーザによる十字キー２４の操作により、メモリカード１４１中の、アップデートデータが埋め込まれた上述の画像ファイル９００が選択されて、この画像ファイル９００の画像（画像データ９０２で表される画像）を表示画面１３０上に再生することが指示されると（ステップＳ２０１）、図３のＣＰＵ１２０により、再生指示されたデータが、再生可能なデータ、すなわち画像データであるか否かが判定される（ステップＳ２０２）。ここでは、ユーザにより再生指示されたデータは、画像ファイルの形式の画像データであることを想定しているので、ステップＳ２０２ではＹｅｓが選択されて、以下に説明するステップＳ２０４以降の処理が実行される。なお、仮に、入力されたデータが画像データでないとすると、ステップＳ２０２でＮｏが選択されて、図２の表示画面１３０上に「再生不能」というメッセージが表示される（ステップＳ２０３）。
【００４６】
ステップＳ２０２でＹｅｓが選択されると、続いて、図２の表示画面１３０上に、再生することが指示された画像が表示される（ステップＳ２０４）。
【００４７】
図７は、アップデートが実行される際に表示される画面を表した図である。
【００４８】
アップデートデータが埋め込まれた上述の画像ファイル９００について、再生指示が与えられた場合には、図７のパート（ａ）に示すように、図２の表示画面１３０上には、図５に示す画像データ９０２で表される画像が表示される。
【００４９】
次に、図３のＣＰＵ１２０により、表示された画像が、アップデートデータをタグデータ中に有する画像ファイルの画像（以下、単にアップデート用の画像と呼ぶ）であって、かつ、ユーザにより図２に示すメニューボタン１６０が押されたか否かが判定される（図６のステップＳ２０５）。ここでは、表示された画像がアップデート用の画像であり、さらに、後述する、アップデート実行の項目を選択するために、ユーザにより図２に示すメニューボタン１６０が押された場合を想定して話を進める。このため、ステップＳ２０５ではＹｅｓが選択されて、以下に説明するステップＳ２０６以降の処理が実行される。なお、表示された画像がアップデート用の画像でない場合や、アップデート用の画像であってもユーザがアップデート実行ではなく単にアップデート用の画像の再生だけをしたい場合には、ステップＳ２０５でＮｏが選択されて、表示された画像に対する種々の画像操作の指示をユーザから受けることとなる（図６のステップＳ２１４）。
【００５０】
ステップＳ２０５でＹｅｓが選択されると、続いて、図７のパート（ｂ）に示すように、図７のパート（ａ）に示す画像を背景として新たなウィンドウ１３０ａが表示され、このウィンドウ１３０ａ内にメニュー項目が表示される（図６のステップＳ２０６）。ここで、ユーザは、図２の十字キー２４の上下方向のボタンを使用して、図７のパート（ｂ）中のメニュー項目間でカーソルを移動させて「アップデート実行」を選択し、さらに十字キー２４中央の確定ボタン２４ａを押してその選択を確定する（ステップＳ２０７；Ｙｅｓ）。ここで、図７のパート（ｂ）に示すようにメニュー項目の中には「プロテクト」の項目が存在している。アップデートデータが埋め込まれた画像ファイル９００の作成の際には図４のステップＳ１０４でプロテクトがかけられるので、画像ファイル９００の作成の後では、通常は、図７のパート（ｂ）に示すようにプロテクトＯＮが選択された状態となっているが、ユーザは好みで、「アップデート実行」の選択を確定する前に、このメニュー項目の画面においてプロテクトＯＦＦに設定することもできる。なお、ユーザが、「アップデート実行」の選択を確定せずに、アップデート実行を中止する場合には（ステップＳ２０７；Ｎｏ）、メニュー項目のうちの「戻る」が選択されて、アップデート用の画像に対する種々の画像操作の指示をユーザから受けることとなる（図６のステップＳ２１４）。
【００５１】
「アップデート実行」の選択が確定すると（ステップＳ２０７；Ｙｅｓ）、このアップデート実行の指示を受けて、図３のＲＯＭ１２１に蓄えられた実行データを、図５のアップデートデータ本体９０１ａで表される新たな実行データに書き換える作業が図３のＣＰＵ１２０により行われる（図６のステップＳ２０８）。この作業の間には、図７のパート（ｃ）に示すように、ウィンドウ１３０ａには、書き換え作業の進展状況が表示される。
【００５２】
ここで、誤動作などにより実行データの書き換え作業が無事に完了しなかった場合には（図６のステップＳ２０９；Ｎｏ）、ウィンドウ１３０ａに「アップデート失敗」のメッセージが表示される。一方、実行データの書き換え作業が無事に完了すると（図６のステップＳ２０９；Ｙｅｓ）、図７のパート（ａ）に示すアップデート用の画像が、後述する「アップデート実行済」の記載を付け加えたアップデート実行済画像に書き換えられ（図６のステップＳ２１１）、さらに、画像ファイル９００のプロテクトが解除されて削除可能な画像ファイルに変えられる（図６のステップＳ２１２）。そして、図７のパート（ｄ）に示すように、ウィンドウ１３０ａには、「アップデート完了」のメッセージが表示され、さらに、実行データを有効化するために「電源スイッチを切って下さい」というメッセージも表示される（図６のステップＳ２１３）。ユーザによって、一旦、図１の電源スイッチ１０４が切られ、再度、電源スイッチ１０４が入れられてアップデート用の画像が表示される際には、図７のパート（ｅ）に示すように、「アップデート実行済」の記載が付け加えられたアップデート実行済画像が表示される。
【００５３】
以上が、デジタルカメラ１００に対してアップデートが実行される際のデジタルカメラ１００の動作の説明である。このように、このデジタルカメラ１００では、アップデートデータを画像ファイル中に埋め込み、アップデート時には、その画像ファイルからアップデートデータや画像を読み込むことで、ユーザは、表示画面上の画像を見ながらアップデートを実行することができる。このため、このデジタルカメラ１００は、ユーザにとって、アップデートの内容やアップデートの進行状況が認識されやすく、扱いやすいデジタルカメラとなっている。
【００５４】
また、このデジタルカメラ１００には、ゲーム機能が設けられており、ユーザは、図２のモードダイヤル１０をゲームモードに設定することでこのゲーム機能を起動させて、表示画面１３０に表示されるゲーム画面を見ながらゲームを楽しむことができる。さらに、このデジタルカメラ１００には、ユーザが、ゲームの途中でゲームを中断しなくてはならなくなった場合には、中断時のゲームの状況を表したセーブデータを作成する機能も備えられている。この機能により、ユーザは、都合によい時にセーブデータを読み出すことで、中断した状態からゲームを再開することができる。このセーブデータのファイルそのものは、画像ファイルではないので、上述のアップデートデータのファイルと同様に、このままでは、移動、削除、閲覧といった種々のファイル操作を実行することはできない。そこで、このデジタルカメラ１００では、セーブデータ作成の際には、ゲーム中断時に表示画面１３０上に表示されている画像を表した画像ファイルも作成し、この画像ファイルのタグデータ中に、作成したセーブデータを取り込む。こうすることで、上述のアップデートデータの場合と同様に、ユーザは、その画像ファイルをファイル操作することを通じて、セーブデータに対して、削除や移動などといった操作を自由に実行することができる。以下では、画像ファイル中にセーブデータを取り込む際のデジタルカメラ１００の動作について説明する。
【００５５】
図８は、図３に概略構成図を示したデジタルカメラが、セーブデータが取り込まれた画像ファイルを作成する際の動作を表したフローチャートである。
【００５６】
ユーザがゲームを中断して、進行途中のゲームの状態をセーブすることがユーザからデジタルカメラ１００に指示されると（ステップＳ３０１）、デジタルカメラ１００は、中断時のゲームの状況を表したセーブデータを作成する（ステップＳ３０２）。そして、ゲーム中断時に表示画面１３０上に表示されている画像を表した画像ファイルを作成し、この画像データの画像ファイルのタグデータ中に、作成したセーブデータを埋め込む（ステップＳ３０３）。
【００５７】
図９は、セーブデータが埋め込まれた画像ファイルのデータ構成を表す概念図である。
【００５８】
この図に示す画像ファイル９００’は、図５の示す画像ファイル９００と同様に、大きく分けて画像データ９０２’と、この画像データ９０２’に付随するデータであるタグデータ９０１’とから構成されている。この図においても、図５と同様に、説明の明確のため、画像データやタグデータを図示したものとして概念的に、それぞれのデータの内容が示されている。ここで、画像データ９０２’で表される画像は、ゲーム中断時に表示画面１３０上に表示されている画像であり、一方、タグデータ９０１’には、図９に示すように、この画像ファイル９００’が作成された作成年月日や、画像データ９０２’に対するサムネイル画像データとともに、中断時のゲームの状況を表したセーブデータ９０１ａ’が記載されている。上述の図８のステップＳ３０３では、ステップＳ３０２で作成されたセーブデータ９０１ａ’が、図３のＣＰＵ１２０によってタグデータ９０１’内に書き込まれる。
【００５９】
図８に戻って説明を続ける。
【００６０】
セーブデータ９０１ａが埋め込まれた画像ファイル９００’が作成されると、次に、図３のＣＰＵ１２０の指示に基づき、この画像ファイル９００’に対し、削除を禁止するプロテクトがかけられる（ステップＳ３０４）。そして、プロテクトがかけられた画像ファイル９００’が、書込／読出部１４０によりメモリカード１４１に記録される（ステップＳ３０５）。
【００６１】
以上が、画像ファイル中にセーブデータを取り込む際のデジタルカメラ１００の動作についての説明である。
【００６２】
このように、このデジタルカメラ１００では、アップデートデータと同様に、ゲームのセーブデータを画像ファイル中に埋め込むことで、セーブデータに対するファイル操作の実行が可能となっている。
【００６３】
なお、以上説明してきたデジタルカメラ１００では、図５に示すように、アップデートデータが埋め込まれた画像ファイルの画像として、デジタルカメラ１００の外観図が採用されていたが、アップデートデータが埋め込まれた画像ファイルの画像としては、他の画像が採用されてもよい。例えば、アップデートデータ方法が記載されている画像が採用されてもよい。
【００６４】
図１０は、アップデートデータ方法が記載されている画像が採用された画像ファイルのデータ構成を表す概念図である。
【００６５】
この図に示すように、この画像ファイル９００’’は、図５のデジタルカメラ１００の外観図に代えて、アップデートデータ方法が記載されている画像を表す画像データ９０２’’が記載されている。この画像には、図６で説明したアップデート実行の際にユーザの行うべき操作が、文章と絵で順番に表されており、ユーザは、図２の表示画面に再生されたこの画像を見ることで自分の行うべき操作を確認することができる。
【００６６】
なお、アップデートデータが埋め込まれた画像ファイルの画像は、必ずしも静止画でなくてもよく、動画であってもよい。例えば、アップデートデータ方法が順番に表示される動画であってもよい。
【００６７】
以上説明したデジタルカメラ１００は、アップデートデータやゲームのセーブデータを画像ファイル内に埋め込むことで、アップデートデータやゲームのセーブデータに対するファイル操作を可能とするものであったが、本発明の撮影装置は、アップデートデータやゲームのセーブデータのファイルを、画像ファイルと関連づけ処理を施すことで、アップデートデータやゲームのセーブデータに対するファイル操作を可能とするものであってもよい。以下では、このような関連づけ処理を実行するデジタルカメラについて説明する。このデジタルカメラが、以上説明してきたデジタルカメラ１００と異なる点は、アップデートデータやゲームのセーブデータを画像ファイル内に埋め込む代わりに、アップデートデータやゲームのセーブデータのファイルを、画像ファイルと関連づけ処理を施す点にあり、この点以外の、デジタルカメラの外観斜視図や概略構成図は、図１〜図３に示すデジタルカメラ１００の外観斜視図や概略構成図と同じであるので、外観斜視図や概略構成図についての重複説明は省略することとして画像ファイルとの関連づけ処理に焦点を絞って説明を行う。
【００６８】
図１１は、画像ファイルとの関連づけ処理を行う機能を備えたデジタルカメラが、アップデートデータに対して関連づけ処理を実行するときの動作を表したフローチャートである。
【００６９】
まず最初に、アップデートデータが、デジタルカメラと接続されたパーソナルコンピュータからデジタルカメラ内のバッファメモリに入力される（ステップＳ４０１）。ここで、アップデートデータは、ファイル形式を備えており、１個のファイルとしてパーソナルコンピュータからデジタルカメラ内のバッファメモリに入力される。次に、デジタルカメラでは、入力されたファイルが、アップデートデータのファイルであるか否かが判定される（ステップＳ４０２）。ここでは、入力されたデータはアップデートデータであることを想定しているので、ステップＳ４０２ではＹｅｓが選択されて、以下に説明するステップＳ１０３以降の処理が実行される。なお、仮に、入力されたデータがアップデートデータでないとすると、ステップＳ４０２でＮｏが選択されて、そのデータは、書込／読出部によりそのままメモリーカードに書き込まれる（ステップＳ４０８）。
【００７０】
ステップＳ４０２でＹｅｓが選択されると、続いて、バージョン情報といった、アップデートの内容に関する情報が、画像として可視化された画像ファイルが作成される。そして、この画像ファイルに対するファイル操作と同一のファイル操作をアップデートデータのファイルが受けるように、アップデートデータのファイルに対して画像ファイルとの関連づけ処理が施される（ステップＳ４０３）。
【００７１】
図１２は、アップデートデータのファイルと、アップデートデータのファイルと関連づけられた画像ファイルとを表した概念図である。
【００７２】
この図では、アップデートデータのファイル９０１０には、ＦＷＵＤ．ＤＡＴというファイル名が与えられており、このファイル９０１０の中には、アップデート用の新たな実行データを表したアップデートデータ本体９０１ａが記載されている。また、このアップデートデータのファイル９０１０と関連づけられた画像ファイル９０２０には、ＦＷＵＤ．ＪＰＧというファイル名が与えられており、このファイル９０２０の中には、デジタルカメラの外観図に、バージョン情報、作成年月日、およびアップデートによる改善点といったアップデート情報とが組み合わせられた画像を表した画像データ９０２が記載されている。ここで、アップデートデータ本体９０１ａおよび画像データ９０２は、それぞれ図５に示したアップデートデータ本体９０１ａおよび画像データ９０２と同一のものであり、図５と異なる点は、アップデートデータ本体９０１ａおよび画像データ９０２が、それぞれ別個のファイル中に存在しており、これら２つのファイルがファイル操作について関連づけられている点である。なお、図５でも説明したように、アップデートデータのファイル９０１０には、アップデートデータ本体９０１ａの他に、この図のアップデートデータのファイル９０１０内では不図示の、バージョン情報などのアップデート情報が記載されており、ステップＳ４０３において画像ファイル９０２０が作成される際には、図４のステップＳ１０３と同様に、このアップデート情報がアップデートデータのファイルから読み出されて、あらかじめデジタルカメラ内に蓄えられている外観図の画像データに書き込まれる。
【００７３】
図１１に戻って説明を続ける。
【００７４】
アップデートデータのファイル９０１０に対して画像ファイル９０２０との関連づけ処理が施されると、次に、画像データ９０２の画像ファイル９０２０に対し、削除を禁止するプロテクトがかけられる（ステップＳ４０４）。画像ファイル９０２０に対してプロテクトがかけられると、関連づけ処理の効果により、画像ファイル９０２０に関連づけられたアップデートデータのファイル９０１０に対してもプロテクトがかけられる（ステップＳ４０５）。そして、プロテクトがかけられた画像ファイル９０２０がメモリカードに記録され（ステップＳ４０６）、それとともに、画像ファイル９０２０に関連づけられたアップデートデータのファイル９０１０も、メモリカード内の、画像ファイル９０２０が記録されたのと同じフォルダに記録される（ステップＳ４０７）。
【００７５】
画像ファイル９０２０に関連づけられたアップデートデータのファイル９０１０を用いてアップデートが実行される際には、図６で説明したのとほぼ同じ手順に従ってアップデートが行われ、図７に示す表示画面と同じ画面が順次表示される。図６で説明したのと異なる点は、図６のステップＳ２１２に相当する、アップデート後の画像ファイルのプロテクト解除の際に、関連づけ処理の効果により、アップデートデータのファイル９０１０に対してもプロテクトが解除される点だけである。このため、図１２のアップデートデータのファイル９０１０を用いてアップデートが実行される様子については、図６および図７を参照することとし、ここでは重複説明を省略する。
【００７６】
アップデートデータのファイル９０１０を画像ファイル９０２０と関連づけるデジタルカメラも、上述のデジタルカメラ１００と同じゲーム機能を有しており、さらには、中断時のゲームの状況を表したセーブデータのファイルを作成する機能も備えられている。このセーブデータのファイル作成の際には、ゲーム中断時に表示画面１３０上に表示されている画像を表した画像ファイルも作成され、図１２のアップデートファイル９０１０の場合と同様に、セーブデータのファイルに対して、作成された画像ファイルとの関連づけ処理が施される。この結果、このように関連づけを施すデジタルカメラにおいても、上述のデジタルカメラ１００と同様に、ユーザは、その画像ファイルをファイル操作することを通じて、セーブデータに対して、削除や移動などといった操作を自由に実行することができる。ここで、セーブデータのファイル作成、およびこのセーブデータが関連づけられている画像ファイルの作成の流れは、図６のフローチャートにおいてステップＳ３０３のセーブデータの埋め込む過程が、セーブデータのファイルを画像ファイルに関連づける過程に置き換わり、ステップＳ３０４の画像ファイルにプロテクトをかける過程が、画像ファイルにプロテクトをかけるとともにセーブデータのファイルにもプロテクトをかける過程に置き換わる点を除けば、図６のフローチャートで説明したものと同じであり、ここではその重複説明は省略する。
【００７７】
以上説明してきたように、アップデートデータを画像ファイルに埋め込むデジタルカメラ、およびアップデートデータのファイルを画像ファイルに関連づけるデジタルカメラのいずれにおいても、画像に無関係なデータを画像ファイルと対応付けることで、そのままではファイル操作できないデータに対してもファイル操作が可能となっていおり、ファイル操作において利便性の向上が図られている。
【図面の簡単な説明】
【００７８】
【図１】本発明の撮影装置の一実施形態であるデジタルカメラを前面斜め上から見た外観斜視図である。
【図２】本発明の撮影装置の一実施形態であるデジタルカメラを背面斜め上から見た外観斜視図である。
【図３】図１および図２に外観を示すデジタルカメラの概略構成図である。
【図４】図３に概略構成図を示したデジタルカメラが、アップデートデータが埋め込まれた画像ファイルを作成する際の動作を表したフローチャートである。
【図５】アップデートの内容に関する情報が可視化されている画像ファイルのデータ構成を表す概念図である。
【図６】図３に概略構成図を示したデジタルカメラに対してアップデートが実行される際のデジタルカメラの動作を表したフローチャートである。
【図７】アップデートが実行される際に表示される画面を表した図である。
【図８】図３に概略構成図を示したデジタルカメラが、セーブデータが取り込まれた画像ファイルを作成する際の動作を表したフローチャートである。
【図９】セーブデータが埋め込まれた画像ファイルのデータ構成を表す概念図である。
【図１０】アップデートデータ方法が記載されている画像が採用された画像ファイルのデータ構成を表す概念図である。
【図１１】画像ファイルとの関連づけ処理を行う機能を備えたデジタルカメラが、アップデートデータに対して関連づけ処理を実行するときの動作を表したフローチャートである。
【図１２】アップデートデータのファイルと、アップデートデータのファイルと関連づけられた画像ファイルとを表した概念図である。
【符号の説明】
【００７９】
１００  デジタルカメラ
１０１  撮影レンズ
１０２  光学式ファインダ対物窓
１０３  閃光発光部
１０４  電源スイッチ
１０  モードダイヤル
２４  十字キー
２４ａ  確定ボタン
１０６  光学式ファインダ接眼窓
１５０  レリーズスイッチ
１５１  操作部
１６０  メニューボタン
１７０  実行／画面切換スイッチ
１１０  撮影光学系
１１１  ＣＣＤ
１１１ａ  タイミングジェネレータ
１１３  絞り
１１３ａ  絞り制御部
１１４  フォーカスレンズ
１１４ａ  フォーカス制御部
１１５  ズームレンズ
１１５ａ  ズーム制御部
１２０  ＣＰＵ
１２１  ＲＯＭ
１２２  画像信号処理部
１２３  表示制御部
１２６  ＡＦ／ＡＥ演算部
１２９  ＲＡＭ
１３０  画像表示部
１３０ａ  ウィンドウ
１３１  ＵＳＢコネクタ
１４０  書込／読出部
１４１  メモリカード
１４２  メモリカードスロット
１４３  バッファメモリ
１２００  バス
９００，９０２０  画像ファイル
９０１０  アップデートデータのファイル
９０１，９０１’，９０１’’  タグデータ
９０１ａ，９０１ａ’  アップデートデータ本体
９０１ｂ  サムネイル画像データ
９０２，９０２’，９０２’’  画像データ
【図１】
2008236352.tif 000003
【図２】
2008236352.tif 000004
【図３】
2008236352.tif 000005
【図４】
2008236352.tif 000006
【図５】
2008236352.tif 000007
【図６】
2008236352.tif 000008
【図７】
2008236352.tif 000009
【図８】
2008236352.tif 000010
【図９】
2008236352.tif 000011
【図１０】
2008236352.tif 000012
【図１１】
2008236352.tif 000013
【図１２】
2008236352.tif 000014